(57)【特許請求の範囲】
【請求項１】
エレベータの乗場に乗場呼びボタンや行先階ボタン等の呼び登録手段を設け、該呼び登録手段を操作すると出力される呼び登録指令信号によりエレベータ用ネットワークを介して乗場呼びや行先階を登録するようにしたエレベータの呼び登録装置において、
前記呼び登録手段とは別に、乗場呼び又は行先階を遠隔から登録するための遠隔呼び登録手段を乗場から離れた位置に設け、該遠隔呼び登録手段は呼び登録操作時、呼び登録指令信号を所定の時間間隔で前記エレベータ用ネットワークに複数回出力することを特徴とするエレベータの呼び登録装置。
【請求項２】
前記時間間隔は呼び登録操作時に選択可能としたことを特徴とする請求項１に記載のエレベータの呼び登録装置。
【請求項３】
前記複数回の回数は呼び登録操作時に選択可能としたことを特徴とする請求項１又は２に記載のエレベータの呼び登録装置。
【請求項４】
前記遠隔呼び登録手段は表示画面を有するとともに、ＷＷＷサーバーを有するＬＡＮを介して前記エレベータ用ネットワークに接続し、呼び登録操作時を除いて種々のＷＷＷ情報を表示することを特徴とする請求項１乃至３に記載のエレベータの呼び登録装置。
【請求項５】
前記遠隔呼び登録手段は表示画面を有し、呼び登録操作時にエレベータの運行画面に切換えることを特徴とする請求項１乃至４に記載のエレベータの呼び登録装置。
【発明の詳細な説明】
【０００１】
【発明の属する技術分野】
この発明はエレベータの乗場以外の場所から乗場呼びや行先階を登録することのできるエレベータの呼び登録装置に関する。
【０００２】
【従来の技術】
エレベータの各階の乗場には上方向或いは下方向の乗場呼びを登録するための乗場ボタンや、行先階を登録するための行先階ボタンなどの呼び登録手段が設けられている。
【０００３】
一方、エレベータの乗場以外の場所、すなわち遠隔から乗場呼びや行先階を登録することができるように、乗場とは離れた位置に呼び登録手段を設けるようにしたものがある。例えば、エレベータをＶＩＰなどが利用しようとする場合、応接室や役員室などにこの遠隔呼び登録手段を設けておき、これを操作するとＶＩＰ専用呼びとして登録され、エレベータがＶＩＰ専用運転に切り換わるとともに、他の一般呼びは一切受け付けずにその階に直行し、ＶＩＰ等がそのエレベータを優先的に利用できるようにしたものなどがある。
【０００４】
【発明が解決しようとする課題】
上記のように遠隔位置からＶＩＰ専用の呼び登録を行いＶＩＰ専用運転に切換えた場合、ＶＩＰ等にとっては非常に便利である反面、その間一般利用者はそのエレベータを使用できなくなり、エレベータが１台しかない場合は勿論のこと、複数台の群管理であったとしても１台が専用運転となることによって全体の効率が悪化するという問題がある。特に、遠隔呼びを登録後ＶＩＰ等が予定通り乗場に到着した場合はそれほどでもないが、挨拶が長引いたりしてＶＩＰ等の乗場への到着が遅れると、その間エレベータはその階でずっと待機していることになり、一般の利用者へのサービスや運転効率が極端に悪化することになる。
【０００５】
このため、特開昭５４−１２４４６１号のように、遠隔から呼びを登録したとしても一般呼びとしてＶＩＰ専用運転には切換えず、その代わりに呼びを登録した場所から乗場に赴くのに必要な時間を予測し、その時間が経過後にエレベータが到着するようにして、無駄な待機時間をなくし運転効率を悪化させないようにするものもある。しかしながらこのように単に一般呼びとして扱う方法ではＶＩＰ等が予想通りの時間で乗場に到着すれば問題ないが、挨拶等が長引いたり何らかの理由でＶＩＰ等が予想より乗場に遅く到着すると、エレベータは他の階の呼びに応答してすでに出発してしまっている場合もあり、その場合は改めて乗場呼びを登録し直さなければならず、待ち時間が非常に長くなるといった問題がある。
【０００６】
本発明は、こうした問題点を解決するためになされたもので、その目的とするところは、遠隔呼びを登録後にVＩＰ等の乗場へ赴く時間が長引いたりしてバラツキがあったとしても、待ち時間が長くなることなく、しかも一般乗客へのサービス低下や運転効率の悪化を招くことのないエレベータ呼び登録装置を提供することにある。
【０００７】
【課題を解決するための手段】
上記の目的を達成するため、本発明では、エレベータの乗場に乗場呼びボタンや行先階ボタン等の呼び登録手段を設け、該呼び登録手段を操作すると出力される呼び登録指令信号によりエレベータ用ネットワークを介して乗場呼びや行先階を登録するようにしたエレベータの呼び登録装置において、乗場に設けられた前記呼び登録手段とは別に、乗場呼び又は行先階を遠隔から登録するための遠隔呼び登録手段を乗場から離れた位置に設け、該遠隔呼び登録手段は呼び登録操作時、呼び登録指令信号を所定の時間間隔で前記エレベータ用ネットワークに複数回出力することにより、ＶＩＰ等が乗場へ到着するまでの時間に多少のバラツキがあっても支障がないようにしたものである。
【０００８】
また本発明では、前記時間間隔を呼び登録操作時に選択可能とすることにより、そのときの状況に応じて最適な時間間隔を設定できるようにしたものである。
【０００９】
また、本発明では、前記複数回の回数を呼び登録操作時に選択可能とすることにより、そのときの状況に応じて最適な回数を設定できるようにしたものである。
【００１０】
また本発明では、遠隔呼び登録手段は表示画面を有するとともに、ＷＷＷサーバーを有するＬＡＮを介して前記エレベータ用ネットワークに接続し、呼び登録操作時を除いて種々のＷＷＷ情報を表示するようにし、呼び登録を行わないときはＷＷＷ情報端末として利用できるようにしたものである。
【００１１】
また本発明では、遠隔呼び登録手段は表示画面を有し、呼び登録操作時にエレベータの運行画面に切換えることにより、運行状態を確認しながら呼び登録の時間間隔等を設定したり、或いはエレベータの運行状態を確認して最適なタイミングでＶＩＰ等を乗場に案内できるようにしたものである。
【００１２】
【発明の実施の形態】
以下、本発明の一実施形態を図１，図２により説明する。
図１は、本実施形態に係わるエレベータの呼び登録装置の全体構成を示すブロック図である。同図において、１は応接室や役員室等の乗場から離れた場所に設けられ、遠隔から乗場呼びや行先階を登録する手段としての遠隔端末で、ビル内ネットワークを構成するＬＡＮ４に接続されており、所定の操作で複数回の呼び登録を所定時間間隔で行う呼び登録指令信号を出力する。
【００１３】
２は同じくＬＡＮ４に接続された業務用のパソコン、３はＬＡＮ４上のクライアントにＷＷＷ情報を提供するためのＷＷＷサーバーである。５はＬＡＮ４とエレベータ用のネットワークとを接続するための接続器でルーター等で構成されている。
【００１４】
６は複数台のエレベータの運行を管理する群管理制御装置で、乗場呼びボタンや遠隔端末からの呼び登録指令信号により呼び登録制御を行う呼び登録制御部や、監視モニター(図示せず)にエレベータの運行状況を表示するためのデータを管理する運行データ管理部等を備えている。
【００１５】
７〜１０は乗場呼び登録手段として各階の乗場に設けられた乗場呼びボタン、１１〜１３はエレベータの各号機の運行を制御する号機制御装置である。
【００１６】
図２は、図１に示した遠隔端末１による呼び登録の処理手順を示すフローチャートである。以下は、遠隔端末１が８階の応接室に設置され、ここから８階の下降方向の乗場呼びを登録する場合について説明するが、上昇方向の乗場呼びや行先階を登録する場合であっても同様である。
【００１７】
まず遠隔端末１は、呼び登録用として使用していない間は、呼び登録操作が開始されるまで種々のＷＷＷ情報等を表示させて会社案内に利用したり、或いは呼び登録を行うための操作案内等を表示しておく(ステップＳ１，Ｓ２)。
【００１８】
やがて８階の応接室から呼び登録が必要となり、遠隔端末の所定の操作、例えばテンキーの１のキーを押すなどの入力が開始されると、遠隔端末の表示画面をエレベータの運行表示画面に切換える（ステップＳ３）。
【００１９】
操作者はこの運行画面から現在の交通状況を参照し、またＶＩＰ等が乗場に赴くまでの時間を判断し、最適と思われる呼びの時間間隔を選択する。例えばテンキーの２のキーが８秒に、３のキーが１０秒に、４のキーが１２秒にそれぞれ対応しており、操作者が２のキーを押したとすると、遠隔端末はその入力内容を判別し(ステップＳ４)、それに応じて８秒間隔で複数回の呼び登録を行うための呼び登録指令信号を出力する（ステップＳ５）。
【００２０】
ここで、仮に複数回の回数が４回に設定されているとすると、８階の乗場呼びが８秒間隔で４回登録されることになり、すなわち８階の呼び登録指令信号が８秒間隔で４回出力されることになり、操作者はこの間にＶＩＰ等を乗場に案内する。このとき、正しいキー操作を行ったかどうかが操作者に分るように、画面上に「８秒間隔で乗場呼びを４回登録します。」というような表示を行うようにしてもよい。
【００２１】
また、このとき遠隔端末の画面上にはエレベータの運行状況が表示されているので、これを確認しＶＩＰ等を最適なタイミングで乗場に案内することが出来る。すなわち、閑散時でエレベータがすぐに到着するようであれば、いつ乗場に向かってもよいが、混雑時でエレベータがすぐに到着しないと予想される時は部屋を出るタイミングを少し遅らせるようにすればよい。
【００２２】
ここで、この遠隔呼び登録と、それに対するエレベータの応答との関係を示すと下記の▲１▼から▲６▼のようになる。
【００２３】
▲１▼遠隔端末の操作により、設定した８秒経過時点Ｔ１に８階乗場呼びが登録され、エレベータが８階に向かう。
▲２▼エレベータが８階に到着し、扉を開く(扉開所用時間約２秒)。扉開後３秒以内に誰かが乗り込み、かご呼びボタンで行先階を登録すればその行先階に向けてエレベータは出発する。３秒以内に誰も乗り込まなければ扉閉してその階に待機し、他の階で呼びが発生すればその呼びに向けて出発する。
▲３▼混雑等によりエレベータがまだ到着していない場合は８階の乗場呼びはそのまま登録状態を継続する。
▲４▼上記Ｔ１から８秒後の時点Ｔ２に、再度８階の乗場呼びが自動的に登録され、上記▲２▼項または▲３▼項を繰り返す。
▲５▼上記Ｔ２から８秒後の時点Ｔ３に、再度乗場呼びが自動的に登録され、上記▲２▼項または▲３▼項を繰り返す。
▲６▼上記Ｔ３から８秒後の時点Ｔ４に、再度乗場呼びが自動的に登録され、上記▲２▼項または▲３▼項を繰り返す。
【００２４】
この結果、ＶＩＰ等は遠隔端末が操作されてから上記Ｔ４の時点までの間であればいつ乗場に到着したとしても、かごが待機しているかあるいは乗場呼びがすでに登録されエレベータが８階に向けて応答中のどちらかとなり、ＶＩＰ等はほとんど待つことなくかごに乗ることができる。
しかもこの間は、一般の利用客もこのエレベータを通常と同様に利用することができ、一般利用客へのサービスや運転効率が悪化することはほとんどない。
【００２５】
なお、複数回の呼びを登録することで無駄な呼びが発生するように思われるが、混雑時には呼び登録の時間間隔よりエレベータの到着時間間隔の方がかなり大きくなり、また閑散時であれば他の階からの呼びの発生は少ないためエレベータは到着階で待機し続けることになり、実際に無駄呼びとなるケースは少なく、ＶＩＰ専用運転に比べれば運転効率に与える影響ははるかに小さい。
【００２６】
また、上記の実施例では呼び登録の時間間隔を選択可能としたが、固定であってもよく、また任意の時間間隔を選択可能とすることも簡単にできる。ただしその値は、扉が乗場呼びに応答してリオープンするタイプでは反転して再び閉じる時間よりも長くする必要がある。そうでないとそのかごはいつまでも出発できないことになる。
【００２７】
また、上記の実施例では複数回の回数は４回に固定としているが、この回数に限らず、またこの回数も選択可能とするようにしてもよい。
【００２８】
また、上記の実施例では呼び登録の開始と時間間隔の選択とを別のキー操作としたが、これを１つのキーで１回の操作で済むようにしてもよい。その場合でも、遠隔端末の画面をＷＷＷ情報からエレベータの運行状況に切り換わるようにすれば、操作者はエレベータの運行状況を確認して最適なタイミングでＶＩＰ等を乗場に案内することができる。
【００２９】
また、遠隔端末としては市販のパソコンを利用するものであっても、専用に作成されたものであってもどちらでもよい。例えば、単純に乗場呼びボタンのようにボタンだけで構成されたものであってもよいし、ＬＡＮに接続せず専用線で配線するようにしたものであってもよい。
【００３０】
また、上記の実施例では群管理エレベータを対象としているが、勿論単独のエレベータであってもよい。
【００３１】
また、上記の実施例ではＷＷＷサーバー３と、接続器４、群管理制御装置をそれぞれ別の装置としているが、これらを１つのハードウェアの中に一体として組み込むようにしてもよい。
【００３２】
【発明の効果】
本発明によれば、所定時間間隔で複数回の呼び登録を行うようにしたので、１回目の登録で到着したエレベータがＶＩＰ等が到着する前に他の呼びに応答して出発してしまったとしても、２回目３回目以降の複数回の呼び登録の間に到着できればすでに呼びが登録されているため、ＶＩＰ等が乗場に赴くまでの時間にバラツキがあったとしても待ち時間は少なくて済む。しかもその間は一般利用客も通常と同様にエレベータを利用できるので、一般利用客のサービスが低下したり運転効率が悪化するともほとんどない。
また、遠隔呼び登録時にエレベータの運行状況を表示することにより、ＶＩＰ等を最適なタイミングで乗場に案内することができる。
【図面の簡単な説明】
【図１】本発明の一実施形態に係わるエレベータの呼び登録装置の全体構成を示すブロック図である。
【図２】図１に示した遠隔端末１による呼び登録の処理手順を示すフローチャートである。
【符号の説明】
１  遠隔端末
２  業務用パソコン
３  ＷＷＷサーバー
４  ＬＡＮ
５  接続器
６  群管理制御装置
７〜１０  乗場呼びボタン
１１〜１３  号機制御装置
【図１】
0003855581.tif 000002
【図２】
0003855581.tif 000003